(57)【特許請求の範囲】
【請求項１】
下りリンクにおいてＯＦＤＭＡ方式を適用する基地局装置であって、
前記基地局装置のために送信された、前記基地局装置における下りリンクの送信電力の低減量を含むメッセージを、バックホール側のインターフェースを介して受信する受信部と、
前記受信部が前記メッセージを受信した場合には、自局における下りリンクの送信電力を、必ず、前記メッセージに含まれた前記低減量だけ低減する電力調整部と、を備え、
前記メッセージは、前記基地局装置に近接した他の基地局装置と通信接続している移動局装置が、下りリンクの干渉信号を検出したことに起因して送信される、基地局装置。
【請求項２】
下りリンクにおいてＯＦＤＭＡ方式を適用する基地局装置における送信電力調整方法であって、
前記基地局装置のために送信された、前記基地局装置における下りリンクの送信電力の低減量を含むメッセージを、バックホール側のインターフェースを介して受信した場合には、自局における下りリンクの送信電力を、必ず、前記メッセージに含まれた前記低減量だけ低減するステップを含み、
前記メッセージは、前記基地局装置に近接した他の基地局装置と通信接続している移動局装置が、下りリンクの干渉信号を検出したことに起因して送信される、送信電力調整方法。
【発明の詳細な説明】
【技術分野】
【０００１】
本発明は、移動通信システム、基地局装置、移動局装置、および干渉低減方法に関し、特に、近接する基地局装置からの送信波によりセルエッジ付近で生じやすいキャリア間干渉を低減する技術に関する。
【背景技術】
【０００２】
ＯＦＤＭＡ（Orthogonal Frequency Division Multiple Access：直交周波数分割多元接続）方式では、サブキャリア間の直交性が失われるとキャリア間干渉が生じ、ＯＦＤＭ信号の復調が困難となる。このため、ＯＦＤＭＡ方式を採用する基地局それぞれが所定の全周波数を用いて通信する移動通信システムでは、全周波数を利用する範囲が隣接基地局間で重ならないようなセル設計を行うことにより、キャリア間干渉の発生を防いでいる（たとえば非特許文献１参照）。
【先行技術文献】
【特許文献】
【０００３】
【非特許文献１】Mobile WiMAX- Part I: A Technical Overview and Performance Evaluation [online], WiMAX FORUM, 2006, p27-29. Retrieved from the Internet:<URL:http://www.intel.com/netcomms/technologies/wimax/WiMAX_Overview_v2.pdf>
【発明の概要】
【発明が解決しようとする課題】
【０００４】
しかしながら、上記従来の移動通信システムでは、セルエッジ付近において全周波数を用いた通信を行うことができないため、無線リソースの利用に無駄が生じていた。
【０００５】
本発明は、上記従来の課題に鑑みてなされたものであり、セルエッジ付近でも全周波数を利用することができるよう、キャリア間干渉を低減させることができる移動通信システム、基地局装置、移動局装置、および干渉低減方法を提供することを目的とする。
【課題を解決するための手段】
【０００６】
上記課題を解決するために、本発明に係る移動通信システムは、直交周波数分割多元接続方式により移動局装置と通信を行う複数の基地局装置を含む移動通信システムであって、前記移動局装置は、受信信号に基づいて、前記基地局装置との通信に用いるチャネルに干渉を与える干渉信号を検出する干渉検出手段と、前記干渉検出手段により干渉信号が検出された場合に、干渉信号の検出を前記基地局装置に通知する干渉通知手段と、前記干渉検出手段により検出された干渉信号の電力が低減した場合に、該干渉信号電力の低減量を前記基地局装置に通知する干渉電力低減量通知手段と、を含み、前記基地局装置は、前記干渉通知手段による通知を受けてから前記干渉電力低減量通知手段による通知を受けるまで、近接する基地局装置に対し順次、無線送信の一時停止を要求する送信停止要求手段と、前記干渉電力低減量通知手段による通知を受けた場合に、前記送信停止要求手段がその直前に無線送信の一時停止を要求した基地局装置に対し、各チャネルの送信電力を該通知に係る低減量だけ低減するよう要求する送信電力低減要求手段と、を含むことを特徴とする。
【０００７】
本発明によれば、移動局装置でキャリア間干渉を引き起こす干渉信号が検出されると、その干渉信号電力が低減するまで、その移動局装置と通信する基地局装置は、近接する基地局装置に対して順次、無線送信の一時停止を要求する。このとき、移動局装置において干渉信号電力の低減が確認されると、その直前に無線送信を一時停止した基地局装置が当該移動局装置で検出された干渉信号の発信源（干渉源）であると推定される。そして、干渉源であると推定された基地局装置は、移動局装置において検出された干渉信号電力の低減量だけ、その送信電力を低減する。このように、移動局装置においてキャリア間干渉が発生しても、それを引き起こす干渉信号の送信電力が即座に低減されるため、隣接する基地局装置からの送信波（干渉波）が届きやすいセルエッジ付近でも全周波数を用いて通信を行うことができる。
【０００８】
また、本発明の一態様では、前記干渉電力低減量通知手段は、前記干渉検出手段により検出された干渉信号の電力が低減した場合に、該干渉信号電力の低減量および該低減した干渉信号のチャネルを示す干渉チャネル情報を前記基地局装置に通知し、前記送信電力低減要求手段は、干渉電力低減量通知手段による通知を受けた場合に、前記送信停止要求手段がその直前に無線送信の一時停止を要求した基地局装置に対し、該通知に係る干渉チャネル情報により示されるチャネルの送信電力を該通知に係る低減量だけ低減するよう要求する。この態様によれば、キャリア間干渉を引き起こす干渉信号に係るチャネルの送信電力だけを低減させるため、基地局装置における送信電力の低減量を抑えつつ、好適にキャリア間干渉を低減できるようになる。
【０００９】
また、本発明に係る移動局装置は、直交周波数分割多元接続方式により基地局装置と通信を行う移動局装置であって、受信信号に基づいて、前記基地局装置との通信に用いるチャネルに干渉を与える干渉信号を検出する干渉検出手段と、前記干渉検出手段により干渉信号が検出された場合に、干渉信号の検出を前記基地局装置に通知する干渉通知手段と、前記干渉検出手段により検出された干渉信号の電力が低減した場合に、該干渉信号電力の低減量を前記基地局装置に通知する干渉電力低減量通知手段と、を含むことを特徴とする。
【００１０】
また、本発明に係る基地局装置は、直交周波数分割多元接続方式により移動局装置と通信を行う基地局装置であって、前記移動局装置により干渉信号の検出を通知されてから該移動局装置により該干渉信号電力の低減量を通知されるまで、近接する基地局装置に対し順次、無線送信の一時停止を要求する送信停止要求手段と、前記移動局装置により前記干渉信号電力の低減量を通知された場合に、前記送信停止要求手段がその直前に無線送信の一時停止を要求した基地局装置に対し、各チャネルの送信電力を前記低減量だけ低減するよう要求する送信電力低減要求手段と、を含むことを特徴とする。
【００１１】
また、本発明に係る通信制御方法は、直交周波数分割多元接続方式により基地局装置と通信を行う移動局装置に対する干渉波を低減する干渉低減方法であって、前記移動局装置が、受信信号に基づいて、前記基地局装置との通信に用いるチャネルに干渉を与える干渉信号を検出する干渉検出ステップと、前記干渉検出ステップで干渉信号が検出された場合に、干渉信号の検出を前記基地局装置に通知する干渉通知ステップと、前記干渉検出ステップで検出された干渉信号の電力が低減した場合に、該干渉信号電力の低減量を前記基地局装置に通知する干渉電力低減量通知ステップと、を含み、前記基地局装置が、前記干渉通知ステップによる通知を受けてから前記干渉電力低減量通知ステップによる通知を受けるまで、近接する基地局装置に対し順次、無線送信の一時停止を要求する送信停止要求ステップと、前記干渉電力低減量通知ステップによる通知を受けた場合に、その直前の前記送信停止要求ステップで無線送信の一時停止を要求された基地局装置に対し、各チャネルの送信電力を該通知に係る低減量だけ低減するよう要求する送信電力低減要求ステップと、を含むことを特徴とする。
【図面の簡単な説明】
【００１２】
【図１】本発明の実施形態に係る移動通信システムの全体構成図である。
【図２】本発明の実施形態に係る移動局のブロック図である。
【図３】本発明の実施形態に係る基地局のブロック図である。
【図４】要求状態記憶部に記憶される情報の一例を示す図である。
【図５】本発明の実施形態に係る移動通信システムの処理を示すシーケンス図である。
【発明を実施するための形態】
【００１３】
以下、本発明の一実施形態を図面に基づいて詳細に説明する。
【００１４】
図１は、本発明の一実施形態に係る移動通信システム１０の全体構成図である。同図に示すように、移動通信システム１０は、複数の基地局１２（ここでは基地局１２−１〜７のみを図示する。）と複数の移動局１４（ここでは１つのみ図示する。）を含んで構成されている。移動局１４は、たとえば可搬型の携帯電話機、携帯情報端末、またはデータ通信用カードである。
【００１５】
図１に示すように、各基地局１２は、通信カバーエリアを示すセル１６の端（セルエッジ）がその隣接セルの端と重なり合うように配置されている。たとえば、基地局１２−１のセル１６−１は、その隣接基地局１２−２〜７のセル１６−２〜７とそれぞれ重複するエリアを有している。そして、各基地局１２は、ＴＤＤ（Time Division Duplex：時分割複信）方式により自セル内に位置する移動局１４と無線信号の送受信を行い、またＯＦＤＭＡ（Orthogonal Frequency Division Multiple Access：直交周波数分割多元接続）方式およびＴＤＭＡ（Time Division Multiple Access：時分割多元接続）方式により多重通信を行う。
【００１６】
基地局１２と移動局１４との間の無線伝送路は、それぞれ時分割多重による複数のタイムスロット（たとえば４スロット）を含む受信フレームと送信フレームとから構成されている。また、タイムスロットごとに、直交分割多重による複数のサブキャリア（たとえば１６のサブキャリア）から構成される複数のサブチャネル（たとえば２８サブチャネル）が規定されている。そして各通信に使用されるチャネルは、チャネルを識別するチャネル番号、またはタイムスロットを識別するスロット番号とサブチャネル周波数を識別するサブチャネル番号との組み合わせ、により特定されるようになっている。
【００１７】
移動通信システム１０では、移動局１４でキャリア間干渉を引き起こす干渉信号が検出されると、その干渉信号電力が低減するまで、その移動局１４と通信する基地局１２が隣接する基地局１２に対して順次、無線送信の一時停止を要求する。ここで、移動局１４において干渉信号電力の低減が確認されると、その直前に無線送信を一時停止した基地局１２が移動局１４で検出された干渉信号の発信源（干渉源）であると推定される。そして、干渉源であると推定された基地局１２は、移動局１４における干渉信号電力の低減量だけ、その送信電力を低減する。こうして、移動通信システム１０では、移動局１４においてキャリア間干渉が発生しても、それを引き起こす干渉信号の送信電力が即座に低減されるため、隣接基地局からの送信波（干渉波）が届きやすいセルエッジ付近においても、上記チャネル構成における全周波数を用いて通信を行うことができるようになっている。
【００１８】
以下では、上記処理を実現するための構成および機能について、図２〜４に基づきより詳細に説明する。
【００１９】
図２は、移動局１４のブロック図である。同図に示すように、移動局１４は、アンテナ２０、無線部２２、ＩＦＦＴ（Inverse Fast Fourier Transform：逆高速フーリエ変換）部２４、ＦＦＴ（Fast Fourier Transform：高速フーリエ変換）部２６、ベースバンド信号処理部２８、制御部３８を含んで構成されている。
【００２０】
アンテナ２０は、無線部２２から供給される無線信号を放射するとともに、移動局１４または隣接基地局１２から送信される無線信号を受信し、受信した無線信号を無線部２２に出力するものである。なお、送信および受信は、時分割で切り替えられる。
【００２１】
無線部２２は、アンテナ２０で受信される無線信号をベースバンド信号にダウンコンバートする。そして、ベースバンド信号に対して、シンボル同期、ガードインターバル（Guard Interval）の除去、ディジタル信号への変換などを行い、得られたディジタル信号をＦＦＴ部２６に出力する。
【００２２】
また、無線部２２は、ＩＦＦＴ部２４から入力されるディジタル信号に対して、アナログ信号への変換、ガードインターバルの付加などを行って、ベースバンド信号を取得し、得られたベースバンド信号を無線部２２に供給する。
【００２３】
ＩＦＦＴ部２４は、ベースバンド信号処理部２８（マッピング部３０）から入力される複素シンボル列を逆高速フーリエ変換（ＩＦＦＴ）によりディジタル信号に変換し、変換されたディジタル信号を無線部２２に出力する。
【００２４】
ＦＦＴ部２６は、無線部２２から入力されたディジタル信号を高速フーリエ変換（ＦＦＴ）により各サブキャリアの位相と振幅を表す複素シンボル列に変換し、変換された複素シンボル列をベースバンド信号処理部２８（デマッピング部３２）に出力する。
【００２５】
ベースバンド信号処理部２８は、マッピング部３０、デマッピング部３２、干渉検出部３４を含んで構成され、送受信メッセージと、ベースバンド信号における各サブキャリアの位相および振幅を表す複素シンボル列と、を相互に変換するものである。
【００２６】
マッピング部３０は、変調方式に応じて、制御部３８から入力される送信メッセージ（バイナリデータ）を対応する複素シンボル列に変換し、変換された複素シンボル列をＩＦＦＴ部２４に出力する。
【００２７】
デマッピング部３２は、変調方式に応じて、ＦＦＴ部２６から入力される複素シンボル列を対応する受信メッセージ（バイナリデータ）に変換し、変換された受信メッセージを干渉検出部３４および制御部３８に出力する。
【００２８】
干渉検出部３４は、相関演算部３６を含み、デマッピング部３２から入力される受信メッセージに基づいて、基地局１２との通信に用いるチャネルに干渉を与える干渉信号を検出するものである。具体的には、相関演算部３６により演算される、デマッピング部３２から入力される受信メッセージ（バイナリデータ）と干渉検出部３４に記憶される既知の参照信号（バイナリデータ）との相関値に基づいて、受信信号に含まれる干渉信号成分を検出（抽出）する。こうして干渉信号が検出されると、干渉検出部３４はその干渉信号のチャネルおよび電力（干渉レベル）を制御部３８に通知する。
【００２９】
制御部３８は、ＣＰＵやメモリなどから構成され、移動局１４の各部を制御するものである。また、ベースバンド信号処理部２８との間で授受される送受信メッセージに係る処理を行う。特に、干渉情報通知部４０を含み、干渉検出部３４で検出された干渉信号に係る情報を基地局１２に通知する。これらの機能は、メモリに記憶される各種制御プログラムをＣＰＵが実行することにより実現される。
【００３０】
干渉情報通知部４０は、干渉検出部３４で干渉信号が検出された場合に、すなわち、干渉検出部３４から通知される干渉信号電力が所定値以上であった場合に、干渉信号の検出有無を示す送信メッセージ内の所定部分を書き換えることにより、通信中の基地局１２に干渉信号が検出された旨を通知するものである。また、該旨を通知後に干渉検出部３４から通知される干渉信号電力が低減すると、干渉情報通知部４０は、当該干渉信号電力の低減量および当該低減した干渉信号のチャネルを示す干渉チャネル情報（干渉信号に係るチャネル番号、干渉信号に係るスロット番号およびサブチャネル番号の組み合わせ）を送信メッセージ内の所定部分に格納することにより、当該干渉信号電力の低減量および干渉チャネル情報を通信中の基地局１２に通知する。
【００３１】
図３は、基地局１２のブロック図である。同図に示すように、基地局１２は、アンテナ５０、無線部５２、ＩＦＦＴ部５４、ＦＦＴ部５６、ベースバンド信号処理部５８、通信Ｉ／Ｆ部６４、制御部６６、要求状態記憶部７２を含んで構成されている。なお、同図におけるアンテナ５０、無線部５２、ＩＦＦＴ部５４、ＦＦＴ部５６は、図２における移動局１４のアンテナ２０、無線部２２、ＩＦＦＴ部２４、ＦＦＴ部２６と、それぞれ同様の構成および機能を有するため、ここでは詳細な説明を割愛する。
【００３２】
ベースバンド信号処理部５８は、マッピング部６０、デマッピング部６２を含んで構成され、送受信メッセージと、ベースバンド信号における各サブキャリアの位相および振幅を表す複素シンボル列と、を相互に変換するものである。
【００３３】
マッピング部６０は、変調方式に応じて、通信Ｉ／Ｆ部６４から入力される送信メッセージ（バイナリデータ）およびベースバンド信号処理部５８に記憶される既知の参照信号（バイナリデータ）を対応する複素シンボル列に変換し、変換された複素シンボル列をＩＦＦＴ部５４に出力する。
【００３４】
デマッピング部６２は、変調方式に応じて、ＦＦＴ部５６から入力される複素シンボル列を対応する受信メッセージ（バイナリデータ）に変換し、変換された受信メッセージを通信Ｉ／Ｆ部６４および制御部６６に出力する。また、後述する送信制御部７０の指示に従って、サブチャネルごとの送信電力を制御する。
【００３５】
通信Ｉ／Ｆ部６４は、通信回線（有線回線または無線回線）を介して図示しない上位装置から送信される送信メッセージをマッピング部６０に出力するとともに、隣接基地局１２から送信される送信停止要求メッセージおよび送信電力低減要求メッセージ（後述）を制御部６６に出力する。また、デマッピング部６２から入力される受信メッセージを上位装置に出力するとともに、制御部６６の指示に従って送信停止要求メッセージおよび送信電力低減要求メッセージを指定された隣接基地局１２に送信する。
【００３６】
制御部６６は、ＣＰＵやメモリなどから構成され、基地局１２の各部を制御するものである。また、デマッピング部６２から出力される受信メッセージに基づいて、通信中の移動局１４から干渉信号が検出された旨の通知があったか否か、その移動局１４において検出された干渉信号電力が低減した旨の通知があったか否かなどを判断したり、受信メッセージの所定部分から干渉信号電力の低減量や干渉チャネル情報などを抽出したりする。
【００３７】
さらに、制御部６６は、送信制御要求部６８および送信制御部７０を含み、通信中の移動局１４において干渉信号が検出された場合に隣接基地局１２に対して無線送信の一時停止や送信電力の低減などを要求するとともに、隣接基地局１２からの要求に従って無線送信の一時停止や送信電力の低減などを行う。これらの機能は、メモリに記憶される各種制御プログラムをＣＰＵが実行することにより実現される。
【００３８】
送信制御要求部６８は、通信中の移動局１４により干渉信号が検出された旨の通知を受けてから検出された干渉信号が低減した旨の通知を受けるまでの間、隣接基地局１２に対し順次、無線送信の一時停止を要求する。具体的には、後述する要求状態記憶部７２に記憶される要求状態が「未要求」である隣接基地局１２に対し、整理番号の小さいものから順に所定の間隔で（たとえば１フレームごとに）無線送信の一時停止を要求するよう、各隣接基地局１２宛ての送信停止要求メッセージを作成し、通信Ｉ／Ｆ部６４に出力する。
【００３９】
また、送信制御要求部６８は、移動局１４により干渉信号電力が低減した旨（干渉信号電力の低減量および干渉チャネル情報を含む）の通知を受けると、その直前に無線送信の一時停止を要求した隣接基地局１２に対し、該通知された干渉チャネル情報が示すチャネルの送信電力を該通知された低減量だけ低減するよう要求する。具体的には、後述する要求状態記憶部７２に記憶される要求状態が「要求済」である隣接基地局１２のうち整理番号が最も大きい基地局１２宛てに、上記干渉信号電力の低減量および干渉チャネル情報を含む送信電力低減要求メッセージを作成し、通信Ｉ／Ｆ部６４に出力する。
【００４０】
図４は、要求状態記憶部７２に記憶される情報の一例を示す図である。同図に示すように、要求状態記憶部７２には、隣接基地局１２を識別する基地局ＩＤごとに、その基地局１２に対して送信したメッセージに係る要求状態および要求内容が記憶されている。ここで、同図における要求状態「要求済」、「要求中」、「未要求」は、それぞれ「送信停止要求メッセージに対する応答を受け取った状態」、「送信停止要求メッセージを送信したがその応答を受け取っていない状態」、「送信停止要求メッセージを送信していない状態」を示している。なお、要求状態記憶部７２における要求状態および要求内容は、送信制御要求部６８が隣接基地局１２に対して上記要求を行った時、要求を行った隣接基地局１２からの応答を受けた時などに、制御部６６により更新される。また、同図に示す要求内容は、後の動作解析やより高度な要求動作に用いられるものであり、必須の情報ではない。
【００４１】
送信制御部７０は、隣接基地局１２からの要求に従って、無線送信の一時停止や送信電力の低減などを行うものである。すなわち、送信制御部７０は、隣接基地局１２から送信停止要求メッセージを受信すると、一時的に（たとえば１フレームだけ）全サブチャネルの無線送信を停止するよう無線部５２に指示するとともに、無線送信を一時停止した旨の応答を送信停止要求メッセージの送信元に返信する。
【００４２】
また、送信制御部７０は、隣接基地局１２から送信電力低減要求メッセージを受信すると、該メッセージに含まれる干渉チャネル情報が示すチャネルの送信電力を該メッセージに含まれる低減量だけ低減するよう、ベースバンド信号処理部５８（マッピング部６０）に指示する。
【００４３】
なお、送信制御部７０は、上記干渉チャネル情報が示すチャネルで継続中の通信に必要なＣＮＲ（Carrier to Noise Ratio：搬送波対雑音電力比）を下限とし、送信電力をそれ以下には下げないようにしてもよい。また、上記送信制御要求部６８において、干渉信号電力の低減量のみを含む送信電力低減要求メッセージを作成するようにしてもよいが、この場合、送信制御部７０は、全サブチャネルの送信電力が該メッセージに含まれる低減量だけ低減するよう、無線部５２に指示する。
【００４４】
次に、移動通信システム１０における基地局１２および移動局１４の動作を図５に基づいて説明する。
【００４５】
図５は、移動通信システム１０の処理を示すシーケンス図である。ここでは、基地局１２−１と通信中の移動局１４が、基地局１２−１のセル１６−１と基地局１２−３のセル１６−３が重複するエリアに位置しており（図１参照）、基地局１２−３からの送信波により移動局１４においてキャリア間干渉が生じている場合を例に挙げて説明する。
【００４６】
この場合、移動局１４では、受信信号と既知の参照信号とに基づいて干渉信号が検出される。ただしこの時点では、検出された干渉信号がどの隣接基地局１２から送信された信号であるかが不明であるため、移動局１４は、干渉信号が検出された旨だけを基地局１２−１に通知する（Ｓ１００）。
【００４７】
移動局１４から干渉信号が検出された旨の通知を受けると、基地局１２−１は、要求状態記憶部７２に記憶される要求状態が「未要求」である隣接基地局１２−２〜７に対し、整理番号の小さいものから順に無線送信の一時停止を要求する。ここでは、まず基地局１２−２に無線送信の一時停止を要求する（Ｓ１０２）。そして、基地局１２−２から無線送信を一時停止した旨の応答を受けると（Ｓ１０４）、基地局１２−１は、所定時間（たとえば１フレーム）だけ、移動局１４による干渉信号電力が低減した旨の通知を待機する（Ｓ１０６）。
【００４８】
所定時間経過しても移動局１４からの通知がない場合、すなわちタイムアウトした場合（Ｓ１０８）、基地局１２−２に対する処理と同様の処理を基地局１２−３に対して行う。すなわち、基地局１２−１は、基地局１２−３に対して無線送信の一時停止を要求する（Ｓ１１０）。その後、基地局１２−３から無線送信を一時停止した旨の応答を受けると（Ｓ１１２）、基地局１２−１は、所定時間だけ、移動局１４による干渉信号電力が低減した旨の通知を待機する（Ｓ１１４）。
【００４９】
ここでは、基地局１２−３からの送信波が移動局１４におけるキャリア間干渉を引き起こす場合を例示しているため、基地局１２−３が無線送信を一時停止すると、それまで移動局１４で検出されていた干渉信号の電力が低減する（ここではチャネルＣＨ３における干渉信号電力がＮ［ｄＢ］だけ低減したものとする）。ここで、移動局１４は、干渉信号電力が低減した旨（干渉信号電力の低減量Ｎ［ｄＢ］および該干渉信号に係るチャネル番号ＣＨ３を含む）を基地局１２−１に通知する（Ｓ１１６）。
【００５０】
タイムアウト前に移動局１４から干渉信号電力が低減した旨の通知を受けると、基地局１２−１は、直前に無線送信の一時停止を要求した基地局１２−３による無線送信の停止と移動局１４における干渉信号電力の低減とが相関する、すなわち基地局１２−３が移動局１４において検出された干渉信号の発信源である、と推定する。そして、基地局１２−１は、その基地局１２−３に対し、Ｓ１１６で通知されたチャネル番号ＣＨ３の送信電力をＳ１１６で通知された低減量Ｎ［ｄＢ］だけ低減するよう要求する（Ｓ１１８）。
【００５１】
こうして、キャリア間干渉を引き起こした干渉信号の送信電力だけが低減されるため、干渉源である基地局１２−３における送信電力の低減量を最小化しつつ、セルエッジ付近に位置する移動局１４で発生したキャリア間干渉を好適に低減することができる。
【００５２】
なお、移動通信システム１０では、Ｓ１１６において「干渉信号電力全体」ではなく「干渉信号電力の低減量」を基地局１２−１に通知するようにしているため、たとえキャリア間干渉を引き起こす干渉信号の発信源が基地局１２−３以外に存在したとすると、すなわち、移動局１４で検出された干渉信号の電力が２以上の干渉信号の合計電力であったとしても、上記シーケンスが２回以上繰り返し実行されることにより該２以上の干渉信号はそれぞれ低減されることになる。
【００５３】
以上説明した移動通信システム１０によれば、移動局１４においてキャリア間干渉が発生しても、それを引き起こす干渉信号の送信電力が即座に低減されるため、隣接基地局１２からの送信波が届きやすいセルエッジ付近でも、全周波数を用いて通信を行うことができる。
【００５４】
なお、本発明は、上記実施形態に限定されるものではなく、種々の変形実施が可能である。
【００５５】
たとえば、上記実施形態では、基地局１２が、その隣接基地局１２に対して無線送信の一時停止や送信電力の低減を要求する構成、およびその隣接基地局１２からの要求に従って無線送信の一時停止や送信電力の低減を行う構成、の両構成を有する例を示したが、基地局１２は、そのいずれか一方の構成のみを有するようにしてもよい。
【００５６】
また、干渉信号が検出された旨の通知を受けた基地局１２は、その隣接基地局１２だけでなく、通信中の移動局１４に対して干渉を与え得る範囲内に位置する近接基地局１２に対して、無線送信の一時停止および送信電力の低減を要求してもよい（近接する範囲≧隣接する範囲）。
【符号の説明】
【００５７】
１０移動通信システム、１２基地局、１４移動局、１６セル（カバーエリア）、２０，５０アンテナ、２２，５２無線部、２４，５４ＩＦＦＴ部、２６，５６ＦＦＴ部、２８，５８ベースバンド信号処理部、３０，６０マッピング部、３２，６２デマッピング部、３４干渉検出部、３６相関演算部、３８，６６制御部、４０干渉情報通知部、６４通信Ｉ／Ｆ部、６８送信制御要求部、７０送信制御部、７２要求状態記憶部。
【図１】
0005693555.tif 000002
【図２】
0005693555.tif 000003
【図３】
0005693555.tif 000004
【図４】
0005693555.tif 000005
【図５】
0005693555.tif 000006